(57)【要約】      （修正有）【課題】３次元物体プリンタにおいて使用される、異なる色の複数の押出を使用するの提供。【解決手段】積層造形システム１００’は、押出機における複数のマニホールド２１６を有する。各マニホールドは、少なくとも１つのノズル２１８が押出機に取り付けられたフェースプレート２６０における対応する開口を介して熱可塑性材料を押し出すのを可能とするように押出機の少なくとも１つのノズルに接続されている。複数の弁は、マニホールドに接続されたノズルが選択的にマニホールドから熱可塑性材料を押し出すのを可能とするように各マニホールドとマニホールドに接続された各ノズルとの間に構成されている。押出機の異なるマニホールドは、異なる特性を有する複数の熱可塑性材料が同時に押し出されるのを可能とし、そのため、材料は互いに接合することができるとともに、材料は高温である。【選択図】図６
2018079688.tif 000002
【特許請求の範囲】
【請求項１】
複数のマニホールド及び複数のノズルを有する押出機であって、各マニホールドが熱可塑性材料を貯蔵するように構成され、各マニホールドが、前記マニホールドから熱可塑性材料が放出されることができ且つ前記マニホールドのうちの２つが同じノズルに動作可能に接続されていない前記複数のノズルにおける少なくとも１つのノズルに動作可能に接続されている押出機と、
複数の開口を有するフェースプレートであって、前記フェースプレートにおける各開口が、前記押し出された熱可塑性材料が前記開口を通過するのを可能とするように１対１対応で前記複数のノズルにおける１つのノズルから押し出された熱可塑性材料を受けるように構成されているフェースプレートとを備える、装置。
【請求項２】
複数の弁であって、各弁が、前記複数のノズルのうちのノズルと前記ノズルが前記押出機において動作可能に接続されたマニホールドとの間に動作可能に接続されており、各弁が選択的に前記ノズルを開閉するように構成されている複数の弁と、
選択的に各ノズルから熱可塑性材料を押し出すように各弁を動作させるように構成されたコントローラとをさらに備える、請求項１に記載の装置。
【請求項３】
少なくとも１つのマニホールドが少なくとも２つのノズルに動作可能に接続されている、請求項２に記載の装置。
【請求項４】
前記押出機及び前記フェースプレートが、複数の方向における物体に対して移動するように構成されている、請求項１に記載の装置。
【請求項５】
前記フェースプレート及び前記複数のノズルが前記フェースプレートに対して垂直な軸まわりに回転するように構成されている、請求項４に記載の装置。
【請求項６】
１対１対応で押出機における複数のマニホールドに複数の熱可塑性材料を供給することであって、各マニホールドが前記押出機の異なるノズルに動作可能に接続されており且つ各熱可塑性材料が他の熱可塑性材料の特性とは異なる特性を有することと、
フェースプレートにおける複数の開口を介して前記押出機の前記異なるノズルから熱可塑性材料を押し出すこととを備える、方法。
【請求項７】
複数の弁をコントローラによって動作させることであって、各弁が前記ノズルのうちの１つと前記ノズルが前記押出機において動作可能に接続されたマニホールドとの間に動作可能に接続されており、前記コントローラが選択的に前記ノズルを開閉するように前記弁を動作させることをさらに備える、請求項６に記載の方法。
【請求項８】
複数の方向に前記押出機及び前記フェースプレートを移動させるように少なくとも１つのアクチュエータを前記コントローラによって動作させることをさらに備える、請求項７に記載の方法。
【請求項９】
前記フェースプレートに対して垂直な軸まわりに前記フェースプレート及び前記複数の押出機を回転させるように少なくとも１つのアクチュエータを前記コントローラによって動作させることをさらに備える、請求項８に記載の方法。
【請求項１０】
前記マニホールドに動作可能に接続された複数のノズルを介して前記マニホールドのうちの少なくとも１つから熱可塑性材料を押し出すように前記複数の弁を前記コントローラによって動作させることをさらに備える、請求項９に記載の方法。
【発明の詳細な説明】
【技術分野】
【０００１】
本開示は、３次元物体プリンタにおいて使用される押出機に関し、より具体的には、異なる色の複数の押出を使用する３次元物体の製造に関する。
【背景技術】
【０００２】
積層造形としても知られている３次元印刷は、実質的に任意形状のディジタルモデルから３次元立体物体を製造するプロセスである。多くの３次元印刷技術は、積層造形装置が以前に堆積された層上に部品の連続層を形成する積層プロセスを使用する。これらの技術の一部は、熱可塑性材料中にＡＢＳ樹脂などの押出材料を軟化又は溶融した後に、所定パターンで熱可塑性材料を放出する押出機を使用する。プリンタは、通常、様々な形状及び構造を有する３次元印刷物体を形成する熱可塑性材料の連続層を形成するように押出機を動作させる。３次元印刷物体の各層が形成された後、熱可塑性材料は、３次元印刷物体の下地層に層を接着するために冷却されて硬化する。この積層造形方法は、切断又は穿孔などの減法プロセスによるワークピースからの材料の除去にほとんど依拠する従来の物体形成技術から区別可能である。
【０００３】
多くの押出機は、熱可塑性材料を形成するように溶融又は軟化される押出材料フィラメントが供給される。フィラメントは、色の全範囲において製造されるにもかかわらず、３次元物体プリンタにおける現在の押出機は、非常に限られた色能力しか有しない。通常、異なる色の押出材料は、１色のみの材料を押し出す別個の押出機によって製造される。押出熱可塑性材料は、高粘度を有することから、異なる押出材料は混合するのが困難である。したがって、この種のプリンタの多くは、２つの異なる色の材料に制限される。１色で物体のベースを且つベース上に第２の色でパターンを印刷することによって２つの別個の押出機からの異なる色の材料が物体内又は物体上にカラー画像を作成するために使用可能である。プリンタに複数の押出機を追加することは、プリンタの複雑さを大幅に追加するが、限られた色範囲を提供するにすぎない。複数の押出機から押し出された熱可塑性材料を有する物体の輪郭を形成することは、常に表面に切れ目を残す。これらの切れ目を回避するために、異なる色が層毎に交互になっている。
【発明の概要】
【発明が解決しようとする課題】
【０００４】
異なる色の押出材料を製造するために使用される他のプリンタ構成は、直列に長手方向にそれらを組み合わせることにより、複数の異なる色の押出材料フィラメントから単一のマルチカラーフィラメントを製造するフィラメントスプライサを使用する。単一のマルチカラーフィラメントは、単一の押出機を供給するヒータに供給される。それゆえに、フィラメントの異なる着色部として押出機変更によって押し出された熱可塑性材料が溶融又は軟化される。スプライサは、特定色を有する物体の一部を形成するのに必要な熱可塑性材料の量を事前に算出し、その色の押出材料フィラメントのセグメントは、単一フィラメントにスプライシングされる。他の色のフィラメントの適切な長さを単一フィラメントにスプライシングし続けることにより、押出機は、その形成が完了するまで、物体を製造し続けることができる。このスプライサは、物体にソリッドカラーの領域を形成するために主に使用される。スプライサの使用は、単一フィラメントを形成するために異なるフィラメントセグメントの長さについての正確な計算を必要とし、押出機によって押し出された熱可塑性材料の解像度を制限する。さらに、マルチカラーフィラメントから製造された熱可塑性材料の送達が適切な物体部分の形成と同期しているかどうかを検出することは困難である。
【課題を解決するための手段】
【０００５】
既知のプリンタよりも広い範囲の色を有する３次元物体プリンタを提供し、物体を形成するための様々な技術を可能とすることは有益であろう。
【０００６】
新たな押出機は、異なる特性の範囲を有する押出材料を使用し、物体を形成するためにより柔軟な異なる押出材料を配置する。装置は、複数のマニホールド及び複数のノズルを有する押出機であって、各マニホールドが熱可塑性材料を貯蔵するように構成され、各マニホールドが、マニホールドから熱可塑性材料が放出されることができ且つマニホールドのうちの２つが同じノズルに動作可能に接続されていない複数のノズルにおける少なくとも１つのノズルに動作可能に接続されている押出機と、複数の開口を有するフェースプレートであって、フェースプレートにおける各開口が、押し出された熱可塑性材料が開口を通過するのを可能とするように１対１対応で複数のノズルにおける１つのノズルから押し出された熱可塑性材料を受けるように構成されているフェースプレートとを含む。
【０００７】
新たな方法は、異なる特性の範囲を有する押出材料を使用し、物体を形成するためにより柔軟な異なる押出材料を配置するように押出機を動作させる。本方法は、１対１対応で押出機における複数のマニホールドに複数の熱可塑性材料を供給することであって、各マニホールドが押出機の異なるノズルに動作可能に接続されており且つ各熱可塑性材料が他の熱可塑性材料の特性とは異なる特性を有することと、フェースプレートにおける複数の開口を介して押出機の異なるノズルから熱可塑性材料を押し出すこととを含む。
【０００８】
押出機から押し出された熱可塑性材料によって物体を形成するシステムの上述した態様及び他の特徴が、添付図面と関連して以下の詳細な説明において説明される。
【図面の簡単な説明】
【０００９】
【図１】図１は、押出材料によって物体を形成する際に押出機によって押し出され且つより柔軟な熱可塑性材料の広い範囲の色を可能とする積層造形システムを示している。
【図２】図２は、図１のシステムにおいて使用可能なフェースプレート及び押出機ノズルの構成である。
【図３】図３は、物体における色を生成するために図２に示された構成の動作を示している。
【図４Ａ】図４Ａは、フェースプレート及び押出機ノズル構成の代替実施形態を示している。
【図４Ｂ】図４Ｂは、フェースプレート及び押出機ノズル構成の代替実施形態を示している。
【図５】図５は、物体内に異なる色を生成するための図２のフェースプレート及び押出機ノズル構成の使用を示している。
【図６】図６は、複数のチャネルを有する１つのヒータのみ有する図１に示されるシステムの代替実施形態のブロック図である。
【図７】図７は、従来技術の３次元物体プリンタの図である。
【発明を実施するための形態】
【００１０】
本願明細書に開示された装置の環境及び装置の詳細の一般的な理解のために図面が参照される。図面において、同様の参照符号は同様の要素を示している。
【００１１】
本願明細書において使用される場合、用語「押出材料」は、積層造形システムにおける押出機によって放出される熱可塑性材料を形成するために軟化又は溶融された材料を指す。押出材料は、厳密に限定されるものではないが、３次元印刷物体の永久部分を形成する「造形材料」及び印刷プロセス中に造形材料の部分を支持するための一時的構造を形成し且つ印刷プロセスの完了後に必要に応じて除去される「支持材料」の双方を含む。造形材料の例は、限定されるものではないが、アクリロニトリルブタジエンスチレン（ＡＢＳ）プラスチック、ポリ乳酸（ＰＬＡ）、脂肪族若しくは半芳香族ポリアミド（ナイロン）、懸濁炭素繊維若しくは他の骨材材料を含むプラスチック、導電性ポリマー、及び押出機を介した放出するのに適した熱可塑性材料を生成するために熱処理されることができる任意の他の形態の材料を含む。支持材料の例は、限定されるものではないが、耐衝撃性ポリスチレン（ＨＩＰＳ）、ポリビニルアルコール（ＰＶＡ）、及び熱処理された後に押出可能な他の材料を含む。いくつかの押出プリンタにおいて、押出材料は、一般に「フィラメント」として知られる連続した細長い長さの材料として供給される。このフィラメントは、スプール又は他の供給源から押出材料フィラメントを引っ張り且つ押出機内のマニホールドに流体的に接続されたヒータにフィラメントを供給することにより、１つ以上のローラによって固体形態で供給される。ヒータは、マニホールドに流入する熱可塑性材料を形成するように押出材料フィラメントを軟化又は溶融する。ノズルとマニホールドとの間に位置する弁が開放されたとき、熱可塑性材料の一部は、ノズルを介してマニホールドから流出し、熱可塑性材料の流れとして放出される。本願明細書において使用される場合、押出材料に適用される用語「溶融」は、３次元物体プリンタの動作中に押出機における１つ以上のノズルを介した熱可塑性材料の押出を可能とするように押出材料を軟化又は相変化させる押出材料についての温度の任意の上昇を指す。溶融した押出材料はまた、本願明細書において「熱可塑性材料」として示される。当業者が認識するように、特定のアモルファス押出材料は、プリンタの動作中に純粋な液体状態に遷移しない。
【００１２】
本願明細書において使用される場合、用語「押出機」は、単一の流体チャンバ内で押出材料を溶融し、１つ以上のノズルに接続されたマニホールドに溶融した押出材料を供給するプリンタの構成要素を指す。いくつかの押出機は、熱可塑性材料が選択的にノズルを通って流れるのを可能とするように電子的に動作されることができる弁アセンブリを含む。弁アセンブリは、マニホールドへの１つ以上のノズルの独立した接続が熱可塑性材料を押し出すのを可能とする。本願明細書において使用される場合、用語「ノズル」は、押出機におけるマニホールドに流体的に接続され且つ熱可塑性材料が受像面に向けて放出される押出機におけるオリフィスを指す。動作中において、ノズルは、押出機のプロセス経路に沿って熱可塑性材料の略連続した直線状配置を押し出すことができる。コントローラは、弁アセンブリに接続されたノズルが熱可塑性材料を押し出すのを制御するように弁アセンブリにおける弁を動作させる。ノズルの直径は、押し出された熱可塑性材料のライン幅に影響を与える。異なる押出機の実施形態は、より狭いオリフィスによって生成されるライン幅よりも大きい幅を有するラインを生成するより広いオリフィスを有するオリフィスサイズの範囲を有するノズルを含む。
【００１３】
本願明細書において使用される場合、用語「マニホールド」は、３次元物体印刷動作中に押出機における１つ以上のノズルに送達するための熱可塑性材料の供給部を保持する押出機のハウジング内に形成された空洞を指す。本願明細書において使用される場合、用語「押出材料の配置」は、押出機が３次元物体印刷動作中に受像面上に形成する押出材料の任意のパターンを指す。押出材料の一般的な配置は、押出材料の直線状の直線配置と押出材料の曲線配置とを含む。いくつかの構成において、押出機は、押出材料の連続した塊を有する配置を形成するように連続的に熱可塑性材料を押し出す一方で、他の構成において、押出機は、直線又は曲線経路に沿って配置された熱可塑性材料の小さな群を形成するように間欠的に動作させる。３次元物体プリンタは、押出材料の異なる配置の組み合わせを使用して様々な構造を形成する。さらに、３次元物体プリンタにおけるコントローラは、押出材料の各配置を形成するために押出機を動作させる前に押出材料の異なる配置に対応する物体画像データ及び押出機経路データを使用する。以下に記載されるように、コントローラは、必要に応じて、３次元印刷動作中に１つ以上のノズルを介して熱可塑性材料の複数の配置を形成するように弁アセンブリの動作を調整する。
【００１４】
本願明細書において使用される場合、用語「プロセス方向」は、押出機と押出機における１つ以上のノズルから押し出された熱可塑性材料を受ける受像面との間の相対運動の方向を指す。受像面は、積層造形プロセス中に３次元印刷物体又は部分的に形成された３次元物体の表面を保持する支持部材のいずれかである。本願明細書に記載された例示的な実施形態において、１つ以上のアクチュエータは、支持部材まわりに押出機を移動させるが、代替システムの実施形態は、押出機が静止したままプロセス方向における相対運動を生み出すように支持部材を移動させる。いくつかのシステムは、異なる運動軸に対して双方のシステムの組み合わせを使用する。
【００１５】
本願明細書において使用される場合、用語「クロスプロセス方向」は、プロセス方向の平面においてプロセス方向に対して垂直な軸を指す。プロセス方向及びクロスプロセス方向は、押出機及び熱可塑性材料を受ける表面の運動の相対経路を指す。いくつかの構成において、押出機は、クロスプロセス方向に沿って延在するノズルのアレイを含む。押出機内の隣接ノズルは、クロスプロセス方向において所定距離だけ離れている。いくつかの構成において、システムは、押出機におけるノズルから押し出される熱可塑性材料の配置を分離する対応クロスプロセス方向距離を調整するために押出機における異なるノズルを分離する有効クロスプロセス方向距離を調整するように押出機を回転させる。
【００１６】
積層造形システムの動作中において、押出機は、３次元物体印刷プロセス中に熱可塑性材料を受ける表面に対して直線及び曲線経路の双方に沿ってプロセス方向に移動させる。さらに、システムにおけるアクチュエータは、必要に応じて、押出機が熱可塑性材料の各配置間に所定距離を有する熱可塑性材料の２つ以上の配置を形成するのを可能とするように、押出機におけるノズルを分離する有効クロスプロセス距離を調整するようにＺ軸まわりに押出機を回転させる。押出機は、印刷物体の層における２次元領域の外壁を形成するように外周に沿って及び熱可塑性材料を有する２次元領域の全部又は一部を満たすように周囲内に沿っての双方において移動する。
【００１７】
図７は、３次元印刷物体１４０を形成するために押出機１０８を動作させるように構成された従来技術の３次元物体積層造形システム又はプリンタ１００を示している。プリンタ１００は、物体を形成するために平面運動を使用するプリンタとして示されているが、押出機と本願明細書に記載された押出材料の機械的可動子とを有する他のプリンタアーキテクチャが使用可能である。これらのアーキテクチャは、デルタ・ボット、選択的コンプライアンス・アセンブリ・ロボットアーム（ＳＣＡＲＡ）、多軸プリンタ、非デカルトプリンタなどを含む。プリンタ１００は、支持部材１０２と、マルチノズル押出機１０８と、押出機支持アーム１１２と、コントローラ１２８と、メモリ１３２と、Ｘ／Ｙアクチュエータ１５０と、任意のＺθアクチュエータ１５４と、Ｚアクチュエータ１５８とを含む。プリンタ１００において、Ｘ／Ｙアクチュエータ１５０は、図７に示されている物体１４０などの３次元印刷物体における１つの層を形成する熱可塑性材料の配置を押し出すようにＸ及びＹ軸に沿って２次元平面（「Ｘ−Ｙ平面」）内の異なる位置に押出機１０８を移動させる。例えば、図７において、Ｘ／Ｙアクチュエータ１５０は、Ｙ軸に沿って移動させるようにガイドレール１１３に沿って支持アーム１１２及び押出機１０８を並進させるとともに、Ｘ／Ｙアクチュエータ１５０は、Ｘ軸に沿って印刷ヘッドを移動させるように支持アーム１１２の長さに沿って押出機１０８を並進させる。押し出されたパターンは、層内の１つ以上の領域及び熱可塑性材料パターンの輪郭内の領域を埋める熱可塑性材料の領域の双方の輪郭を含む。Ｚアクチュエータ１５８は、物体が印刷プロセス中に形成されるのにともない、押出機１０８におけるノズルが物体１４０の上に熱可塑性材料を押し出すのに適切な高さのままであるのを確実にするために、Ｚ軸に沿って押出機１０８と支持部材１０２との間の距離を制御する。Ｚθアクチュエータ１５４は、Ｚ軸まわりに回転する押出機１０８のいくつかの実施形態についてのＺ軸まわりの押出機１０８の回転角度（図４におけるＺθとして参照）を制御する。この移動は、押出機１０８におけるノズル間の分離を制御するが、いくつかの押出機は、製造プロセス中に回転を必要としない。システム１００において、Ｘ／Ｙアクチュエータ１５０、Ｚθアクチュエータ１５４及びＺアクチュエータ１５８は、電動モータ、ステッピングモータ、又は任意の他の適切な電気機械装置などの電気機械アクチュエータとして具現化される。図７の例示的な実施形態において、３次元物体プリンタ１００は、熱可塑性材料の複数の層から形成される３次元印刷物体１４０の形成中に示されている。
【００１８】
支持部材１０２は、製造プロセス中に３次元印刷物体１４０を支持するガラス板、ポリマー板、又は発泡体面などの平面部材である。図６の実施形態において、Ｚアクチュエータ１５８はまた、押出機１０８が物体１４０の上面から所定距離を維持するのを確実にするために、熱可塑性材料の各層の塗布後に押出機１０８から離れてＺ方向に支持部材１０２を移動させる。押出機１０８は、複数のノズルを含み、各ノズルは、支持部材１０２の表面又は物体１４０のような部分的に形成された物体の表面上に熱可塑性材料を押し出す。図７の例において、押出材料は、ＡＢＳプラスチックのスプールである押出材料供給源１１０からのフィラメント又は押出機１０８に押出材料を供給するためにスプールから剥がす他の適切な押出材料フィラメントとして供給される。
【００１９】
支持アーム１１２は、支持部材と、印刷動作中に押出機１０８を移動させる１つ以上のアクチュエータとを含む。システム１００において、１つ以上のアクチュエータ１５０は、印刷動作中にＸ及びＹ軸に沿って支持アーム１１２及び押出機１０８を移動させる。例えば、アクチュエータ１５０のうちの１つは、Ｙ軸に沿って支持アーム１１２及び押出機１０８を移動させる一方で、他のアクチュエータは、Ｘ軸に沿って移動させるように支持アーム１１２の長さに沿って押出機１０８を移動させる。システム１００において、Ｘ／Ｙアクチュエータ１５０は、必要に応じて、直線又は曲線経路のいずれかに沿って同時にＸ及びＹ軸の双方に沿って押出機１０８を移動させる。コントローラ１２８は、押出機１０８におけるノズルが支持部材１０２上に又は物体１４０の前に形成された層上に熱可塑性材料を押し出すのを可能とする直線及び曲線経路の双方における押出機１０８の移動を制御する。コントローラ１２８は、必要に応じて、Ｘ軸又はＹ軸に沿ったラスタライズ動作において押出機１０８を移動させるが、Ｘ／Ｙアクチュエータ１５０はまた、Ｘ−Ｙ平面内の任意の直線又は曲線経路に沿って押出機１０８を移動させることができる。
【００２０】
コントローラ１２８は、マイクロプロセッサ、マイクロコントローラ、フィールドプログラマブルゲートアレイ（ＦＰＧＡ）、特定用途向け集積回路（ＡＳＩＣ）又はプリンタ１００を動作させるように構成された他のディジタルロジックなどのディジタルロジックデバイスである。プリンタ１００において、コントローラ１２８は、支持部材１０２及び支持アーム１１２の移動を制御する１つ以上のアクチュエータに動作可能に接続されている。コントローラ１２８はまた、メモリ１３２に動作可能に接続されている。プリンタ１００の実施形態において、メモリ１３２はランダムアクセスメモリ（ＲＡＭ）デバイスなどの揮発性データ記憶装置と、固体データ記憶装置、磁気ディスク、光ディスク又は任意の他の適切なデータ記憶装置などの不揮発性データ記憶装置とを含む。メモリ１３２は、プログラミングされた命令データ１３４及び３次元（３Ｄ）物体画像データ１３６を記憶する。コントローラ１２８は、３次元印刷物体１４０を形成し且つ物体１４０の１つ以上の表面上に２次元画像を印刷するためにプリンタ１００における要素を動作させるように記憶されたプログラム命令１３４を実行する。３Ｄ物体画像データ１３６は、例えば、プリンタ１００が３次元物体印刷プロセス中に形成する熱可塑性材料の各層に対応する複数の２次元画像データパターンを含む。押出機経路制御データ１３８は、コントローラ１２８がＸ／Ｙアクチュエータ１５０を使用して押出機１０８の移動の経路を制御し且つＺθアクチュエータ１５４を使用して押出機１０８の向きを制御するように処理する幾何学的データのセット又はアクチュエータ制御コマンドを含む。コントローラ１２８は、上述したように支持部材１０２の上方において押出機１０８を移動させるとともに、押出機が物体を形成するために熱可塑性材料を押し出すようにアクチュエータを動作させる。
【００２１】
図１は、より詳細には後述する図２に示されるフェースプレートにおける開口を介して複数の熱可塑性材料を押し出す押出機１０８を有する積層造形システム１００’を示している。図を簡略化するために１つのみのマニホールド２１６が図１に示されているが、押出機１０８は、複数のマニホールド２１６を有する。１つの実施形態において、押出機１０８における各マニホールド２１６は、１対１対応で異なる押出材料供給源１１０によって供給される異なるヒータ２０８に動作可能に接続されている。あるいは、各マニホールド２１６は、図６の実施形態１００’’に示されるように、複数の押出材料供給源１１０によって供給される複数のチャネル２３２’を収容する単一のヒータ２０８’に結合されることができる。図６における各チャネル２３２’は、各マニホールドが他のマニホールドが受けている材料とは異なる材料を受けるのを可能とするように押出機１０８におけるマニホールド２１６に熱可塑性材料を供給する。押出機１０８において、各ノズル２１８は、押出機１０８内のマニホールドのうちの一方のみに流体的に接続されており、そのため、各ノズルは、他のマニホールドに接続されたノズルから押し出される材料とは異なる熱可塑性材料を押し出すことができる。各ノズルからの押し出しは、弁アセンブリ２０４における弁を動作させるコントローラ１２８によって選択的に且つ独立して活性化及び不活性化される。各ノズル２１８はまた、以下により詳細に記載されるように、物体における材料の配置のより柔軟な形成のためにノズルを構成するようにフェースプレート２６０における開口と整列されている。図６の構成は、図４Ｂに示されるものと同様のフェースプレートの実施形態に対応するが、図４Ｂに示されるように６つのマニホールドについて３つのノズルではなく５つのマニホールドのそれぞれについて３つのノズルを設けている。
【００２２】
図１及び図６の実施形態において、弁アセンブリ２０４は、押出機１０８におけるマニホールドと押出機１０８におけるマニホールドに接続されたノズルのそれぞれとの間に弁を配置する。弁アセンブリ２０４は、コントローラ１２８に動作可能に接続されており、そのため、コントローラは、押出機１０８における複数のノズルから熱可塑性材料を押し出すために弁を開閉することができる。具体的には、コントローラ１２８は、ノズルから熱可塑性材料を押し出して３次元印刷物体１４０の各層に異なる熱可塑性材料の配置を形成するように押出機１０８における弁に接続されたアセンブリ２０４内の異なるアクチュエータを活性化及び不活性化する。
【００２３】
図１のシステム１００’はまた、押出機１０８におけるマニホールドに接続された各ヒータ２０８についての押出材料分配システム２１２を含む。各別個の供給源１１０からの押出材料は、システム１００’の動作中にヒータに接続されたマニホールドにおける熱可塑性材料の圧力を所定範囲内に維持する速度で対応するヒータ２０８に供給される。分配システム２１２は、押出機１０８の各マニホールドにおける熱可塑性材料の圧力調整に適している１つの実施形態である。図６の実施形態１００’’において、複数の押出材料分配システム２１２は、１対１対応で複数の押出材料供給源１１０とヒータ２０８’におけるチャネル２３２’との間に動作可能に接続されている。さらに、双方の実施形態において、コントローラ１２８は、分配システム２１２が供給源によって供給された押出材料を供給源１１０からヒータに送達する速度を制御するように、各分配システム２１２のアクチュエータに動作可能に接続されている。図６の分配システム２１２は、図１の分配システム２１２として構成されることができる。ヒータ２０８及び２０８’は、駆動ローラ２２４を介してヒータ２０８に供給される押出材料２２０を軟化又は溶融する（図１）。アクチュエータ２４０は、ローラ２２４を駆動し、コントローラ１２８に動作可能に接続されており、そのため、コントローラは、アクチュエータがローラ２２４を駆動する速度を調整することができる。ローラ２２４に対向する他のローラはフリーホイールであり、そのため、ローラ２２４が駆動される回転速度に追随する。図１は、ヒータ２０８又は２０８’にフィラメント２２０を移動させるための機械的可動子として電気機械アクチュエータ及び駆動ローラ２２４を使用する供給システムを示しているが、分配システム２１２の代替実施形態は、回転オーガ又はスクリュの形態の機械的可動子を動作させるために１つ以上のアクチュエータを使用する。オーガ又はスクリュは、押出材料粉末又はペレットの形態で固相押出材料を供給源１１０からヒータ２０８又は２０８’へと移動させる。
【００２４】
図１及び図６の実施形態において、各ヒータは、ステンレス鋼から形成され且つコントローラ１２８に動作可能に接続された電気抵抗加熱素子などの１つ以上の加熱素子２２８を含む。コントローラ１２８は、ヒータ２０８又は２０８’内の１つのチャネル又は複数のチャネルにおける押出材料２２０のフィラメントを軟化又は溶融するように選択的に電流に加熱素子２２８を接続するように構成されている。図１及び図６は、固体フィラメント２２０として固相で押出材料を受けるヒータ２０８及びヒータ２０８’を示しているが、代替実施形態においては、ヒータは、粉末状又はペレット状押出材料として固相で押出材料を受ける。冷却フィン２３６は、ヒータから上流のチャネル内の熱を減衰する。冷却フィン２３６において又は冷却フィン２３６の付近においてチャネル内で固体のままである押出材料の一部は、マニホールド２１６に対する接続部以外の任意の他の開口からの熱可塑性材料がヒータから出るのを防止するチャネル内のシールを形成する。押出機１０８はまた、押出機内の各マニホールド内の熱可塑性材料について高温を維持するために追加の加熱素子を含むことができる。いくつかの実施形態において、押出機内のマニホールド内の温度を維持するために断熱材が押出機１０８の外側部分を被覆している。読者は、図６におけるノズルの長さが図１に示されるものと同じ程度に短いため、熱可塑性材料がフェースプレートにおける開口への移動中に凝固を開始しないことを理解すべきである。
【００２５】
マニホールド２１６内の熱可塑性材料の流体圧力を所定範囲内に維持し、押出材料への損傷を回避し、ノズルを通る押出速度を制御するために、スリップクラッチ２４４が供給源１１０からヒータへとフィラメントを供給する各アクチュエータ２４０の駆動軸に動作可能に接続されている。本願明細書において使用される場合、用語「スリップクラッチ」は、物体に摩擦力を加えて物体を所定の設定ポイントまで移動させる装置を指す。摩擦力の所定の設定ポイントまわりの範囲を超えると、装置はスリップし、そのため、もはや摩擦力は物体に加えられなくなる。スリップクラッチは、アセンブリ２０４内のいくら多くの弁が若しくはいくら長く弁が開放されても又はいくら高速にアクチュエータ２４０がローラ２２４を駆動してもフィラメント２２０に及ぼされる力が一定のままであるのを可能とする。この一定の力は、フィラメント駆動ローラ２２４の最速予想回転速度よりも高速でアクチュエータ２４０を駆動することによって又はローラ２２４上にエンコーダホイール２４８を配置してセンサ２５２によって回転速度を検知することによって維持されることができる。センサ２５２によって生成された信号は、ローラ２２４の回転角度を示し、コントローラ１２８は、ローラ２２４の速度を特定するためにこの信号を受信する。コントローラ１２８は、さらに、アクチュエータの速度を制御するためにアクチュエータ２４０に供給される信号を調整するように構成されている。コントローラがアクチュエータ２４０の速度を制御するように構成されている場合、コントローラ１２８は、アクチュエータ２４０を動作させ、そのため、その速度は、ローラ２２４の回転よりも僅かに高速である。この動作は、駆動ローラ２２４上のトルクが常にスリップクラッチトルクの関数であるのを確実にする。
【００２６】
コントローラ１２８は、ローラ２２４の回転速度よりもアクチュエータ出力軸の僅かに高速な速度を特定するコントローラに接続されたメモリに記憶された設定ポイントを有する。本願明細書において使用される場合、用語「設定ポイント」は、設定ポイントに対応するパラメータを設定ポイントまわりの所定範囲内に維持するように構成要素を動作させるためにコントローラが使用するパラメータ値を意味する。例えば、コントローラ１２８は、設定ポイントまわりの所定範囲内の出力信号によって特定される速度で出力軸を回転させるようにアクチュエータ２４０を動作させる信号を変化させる。アクチュエータについての指令速度に加えて、弁アセンブリ２０４内で開閉される弁の数及びクラッチについてのトルク設定ポイントはまた、フィラメント駆動システム２１２の動作に影響を与える。ローラ２２４の得られる回転速度は、センサ２５２によって生成される信号によって特定される。コントローラ１２８内の比例・積分・微分（ＰＩＤ）コントローラは、メモリに記憶された差分設定ポイントを参照してこの信号からエラーを特定し、アクチュエータ２４０を動作させるようにコントローラによって出力される信号を調整する。あるいは、コントローラ１２８は、スリップクラッチについてのトルクレベルを変更することができ、又は、コントローラ１２８は、トルクレベルを変更してコントローラがアクチュエータを動作させる信号を調整することができる。
【００２７】
スリップクラッチ２４４は、固定又は調整可能なトルク摩擦板クラッチ、磁粉クラッチ、磁気ヒステリシスクラッチ、強磁性流体クラッチ、空気圧クラッチ、又は永久磁石クラッチとすることができる。磁気的に動作するクラッチタイプは、クラッチに電圧を印加することによって調整されるそれらのトルク設定ポイントを有することができる。この特徴は、クラッチに対するトルク設定ポイントが印刷条件を参照して変更されるのを可能とする。用語「印刷条件」は、物体の適切な形成のためにマニホールドに必要な熱可塑性材料の量に影響を与える現在進行中の製造動作のパラメータを指す。これらの印刷条件は、押出機に供給される押出材料の種類、押出機から放出される熱可塑性材料の温度、押出機がＸ−Ｙ平面内で移動される速度、物体上に形成される特徴の位置などを含む。
【００２８】
図２は、フェースプレート２６０と、フェースプレートにおける６つの開口２６８と整列している６つのノズル２６４Ａ、２６４Ｂ、２６４Ｃ、２６４Ｄ、２６４Ｅ及び２６４Ｆの構成を示している。本願明細書において使用される場合、用語「フェースプレート」は、熱可塑性材料が複数の押出機のノズルから押し出されるのを可能とする複数の開口を有する単一の平面部材を指す。押出機における複数のノズルについての単一のフェースプレートの使用は、異なる材料が同時に印刷されるのを可能とし、そのため、それらは高温でありながら互いに接合する。この異なる材料の接合は、物体内の弱点が形成されるのを防ぐのに役立つ。しかしながら、異なる材料の接合は、材料が互いに混合することを意味していない。それゆえに、異なる材料の順序及び配置は、物体の層及び表面に実質的に影響を与える。
【００２９】
以下の説明において、異なる押出材料は、複数のヒータ２０８に供給されるか、又は、単一のヒータ２０８’は、異なる色を有する。層内の配置の選択的形成は、物体が物体の表面及びエッジにおいて異なる色及び色の濃淡を有して形成されるのを可能とする。読者は、異なる押出材料が色以外の異なる特性を有することを理解すべきである。例えば、異なる特性は、物体が物体の異なる部分における硬さの程度を変化させることで形成されるのを可能とするための材料の硬さとすることができる。しかしながら、以下の説明において、色は、様々な実施形態の動作及びそれらがどのように物体の部分における変化を生み出すかを記載するために使用されている特性である。本願明細書において使用される場合、用語「特性」は、積層造形システムにおいて使用される各押出材料について異なることができる押出材料の特性を指す。
【００３０】
物体エッジにおいては、エッジの外側に向かって押し出される材料の色が優勢であるが、上面においては、押し出された材料は、色を決定するように、互いに隣接して配置されることができるか、又は、他の材料のものの上に配置されることができる。１つのノズルがフェースプレートについての移動方向において他のノズルと整列しているとき、後に押し出された材料は、先に押し出された材料上にあるため、それは上面の色外観を支配する傾向がある。例えば、図２において、ノズル２６４Ａ及び２６４Ｂは、フェースプレートが左から右へ又は右から左へ移動したときに整列される。したがって、フェースプレートが右に移動するとき、ノズル２６４Ａからの材料の色は、上面の外観を支配する傾向があり、フェースプレートが左に移動するとき、ノズル２６４Ｂからの材料の色が支配する傾向がある。ノズルからの熱可塑性材料の流れを操作してノズルを異なって向けるようにフェースプレートを回転させることにより、物体の可視部分において知覚される色が制御されることができる。物体の内部のように色が知覚できない場合、全てのノズルは、物体についての配置を形成して印刷速度を最大化するように動作することができる。
【００３１】
図２において、例えば、ノズル２６４Ａは、シアン着色材料を放出し、ノズル２６４Ｂは、マゼンタ色材料を放出し、ノズル２６４Ｄは、イエロー色材料を放出し、ノズル２６４Ｆは、ブラック色材料を放出する。ホワイトはまた、色を変化させるために有用であり、そのため、ノズル２６４Ｅは、ホワイト材料を押し出すとともに、ノズル２６４Ｃは、レッド材料を押し出す。この色の選択は、押出機１０８における様々なマニホールドについてのヒータ２０８に供給するフィラメントとしての例示にすぎず、任意の既知のフィラメント色とすることができる。図３は、矩形物体３０４のグリーンエッジを形成するように動作する図２の構成の使用を示している。ノズル２６４Ｂ、２６４Ｄ、２６４Ｅ及び２６４Ｆにおける「Ｘ」は、閉じられたそれらのノズルに供給する弁を示している。それゆえに、ノズル２６４Ａからのシアン材料及びノズル２６４Ｃからのイエロー材料のみが押し出される。フェースプレート２６０が右から左へと又は左から右へと移動される方向にかかわらず、フェースプレート２６０は、図に示される向き１及び向き２の間においてフェースプレート２６０に対して垂直な軸まわりに回転する。向き１において、シアンが支配的であるが、向き２において、イエローが支配的である。２つの向きの間において交互にすることにより、人間の観察者がグリーンであると知覚するようにエッジが形成される。他の向きに対して１つの向きが使用される時間量は、観察者が知覚するグリーンの濃淡を決定する。読者はまた、シアン及びイエロー材料が相対的に不透明である場合にシアン及びイエロー材料を押し出すノズルが物体の外側にとどまることから、ノズル２６４Ｂ、２６４Ｄ、２６４Ｅ及び２６４Ｆがエッジの色を損なうことなく開放したままとすることができることに留意すべきである。シアン及びイエロー材料が比較的高い半透明である場合、ホワイト材料は、形成される色の劣化を回避するために必要とされることがある。コーナーの形成は、フェースプレートがコーナーを通って回転している前又はときに、シアン又はイエロー材料を押し出さないノズルの閉鎖を必要とすることがあるが、いくつかの場合において、これらのノズルの使用は、徐々に曲線を成形するために有用とすることができる。
【００３２】
図３を参照して説明した例は、２色のみを使用しているが、任意数の色及び向きが物体のエッジ又は表面において色を形成するために使用可能である。また、より明るい又はより暗い色合いの色は、それぞれ、ホワイト又はブラックの押出材料を含むことによって生成されることができる。イジェクタが交互にされる速度及び物体の表面に材料を押し出すノズルの選択的活性化は、どのように微細に色間の変動が詳細であり得るか及びどのように正確に所望の色変化が物体のエッジ及び表面において生成されることができるのかを決定する。
【００３３】
フェースプレート２６０及び押出機の複数の他の構成の代替実施形態が図４Ａ及び図４Ｂに示されている。これらの実施形態において、図２のフェースプレート２６０におけるノズルによって供給される各色の熱可塑性材料が複数のノズルを介して押し出される。例えば、シアン、マゼンタ、イエロー、ブラック、ホワイト、レッドの着色材料のそれぞれは、図４Ａのフェースプレート２６０’における２つのノズルを介して供給されるとともに、それらの材料の色のそれぞれは、図４Ｂのフェースプレート２６０’’における３つのノズルを介して供給される。同じ色を押し出すノズルのそれぞれは、押出機１０８における同じマニホールドに接続されており、アセンブリ２０４における異なる弁は、そのマニホールドと各ノズルとの間に配置されている。それゆえに、コントローラ１２８は、ノズルの全て又は特定色について選択されたノズルのみを開閉するように弁アセンブリ２０４を動作させることができる。さらに、単一色のノズルのそれぞれは、同じ直径又は異なる直径を有することができる。それゆえに、図４Ａ及び図４Ｂの実施形態は、これらの実施形態のフェースプレートを介して押し出された熱可塑性材料の配置の柔軟性及び分解能を向上させることができる。さらに、ノズルがフェースプレートに配置されて異なる色が均一に重なる場合、単一色についてのノズルのそれぞれは、図３を参照して上述したものと同様の効果を生み出すようにノズルについての弁を独立して動作させることによって配列されることができる。さらに、弁の動作は、物体についての色の形成にさらなる柔軟性を追加するようにフェースプレートの異なる回転と組み合わせることができる。
【００３４】
図３に示される向き１及び２は、物体の表面を見下ろす視点からみたときに物体の表面上に異なる色の効果を生み出すように図５に示されるように使用可能である。図の左側において、向き１は、フェースプレートが移動する方向にかかわらず、イエローの熱可塑性材料に隣接しているシアンの熱可塑性材料を生み出す。同様に、向き２が使用された場合、２つの材料は逆になっているが、フェースプレートの移動方向にかかわらず互いに隣接したままである。右側において、向きは、ノズル２６４Ｃとノズル２６４Ａを整列させるように示されている。フェースプレートが右上描写における矢印によって示されるように右に移動する場合、シアンの熱可塑性材料は、イエローの熱可塑性材料を被覆するが、同じ向きが右下描写における矢印によって示されるように左に移動する場合、イエロー材料は、シアン材料を被覆する。それゆえに、物体についての色形成は、フェースプレートを回転させ、マニホールドとノズルの間の弁を制御し、特定方向にフェースプレートを移動させることによって影響を受けることができる。
【図１】
2018079688.tif 000003
【図２】
2018079688.tif 000004
【図３】
2018079688.tif 000005
【図４Ａ】
2018079688.tif 000006
【図４Ｂ】
2018079688.tif 000007
【図５】
2018079688.tif 000008
【図６】
2018079688.tif 000009
【図７】
2018079688.tif 000010